(57)【要約】【課題】光ピックアップユニットベースの厚みの薄型化を実現しながら、外部衝撃によるガイド主軸の塑性変形を防止する。【解決手段】光ディスクドライブユニットベース４０にガイド主軸４３と平行状に架設した衝撃吸収用部材６０の剛性部材としての帯板形状部材６１を光ピックアップユニットベース５０の上面にガイド主軸４３と平行状に形成した凹溝６３内に非接触状態に水平状に挿通させた光ディスクドライブ装置。【選択図】図７
2006228380.tif 000002
【特許請求の範囲】
【請求項１】
ディスク状記録媒体を回転駆動するスピンドルモータ及びピックアップユニット送り機構が搭載されたディスクドライブユニットベースと、
前記ディスク状記録媒体に情報を記録及び／又は再生するピックアップ手段がピックアップユニットベースに搭載され、該ピックアップユニットベースが前記ディスクドライブユニットベースに架設されたガイド主軸に沿って前記ディスク状記録媒体の半径方向へ摺動されるピックアップユニットとを備えたディスクドライブ装置用のディスクドライブユニットにおいて、
衝撃吸収用部材が前記ディスクドライブユニットベースに前記ガイド主軸と平行な方向に沿って設けられ、
前記ピックアップユニットベースが前記衝撃吸収材用部材に対して少なくとも前記ディスク状記録媒体の半径方向に対する直角な方向の微小なクリアランスを保って、前記ガイド主軸に沿って前記ディスク状記録媒体の半径方向へ摺動されるように構成された
ことを特徴とするディスクドライブ装置用のディスクドライブユニット。
【請求項２】
前記衝撃吸収用部材が金属や硬質合成樹脂等からなる剛性部材で構成されている
ことを特徴とする請求項１に記載のディスクドライブ装置用のディスクドライブユニット。
【請求項３】
前記衝撃吸収用部材がゴムや軟質合成樹脂等からなる弾性部材で構成されている
ことを特徴とする請求項１に記載のディスクドライブ装置用のディスクドライブユニット。
【請求項４】
前記衝撃吸収用部材が前記ディスクドライブユニットベースに前記ガイド主軸と平行に架設された金属や硬質合成樹脂等からなる帯板形状部材で構成されていて、
該帯板形状部材が前記ピックアップユニットベースに前記ガイド主軸と平行に形成された凹溝や貫通孔等の挿通部に微小なクリアランスを保って非接触状態に挿通されている
ことを特徴とする請求項２に記載のディスクドライブ装置用のディスクドライブユニット
。
【請求項５】
前記衝撃吸収用部材がゴムや軟質合成樹脂等の弾性部材で構成されていて、
該衝撃吸収用部材が、前記ディスクドライブユニットベースに前記ガイド主軸と平行に形成されたディスクドライブユニットベース側の面と、前記ピックアップユニットベースに前記ガイド主軸と平行に形成されたピックアップユニット側の面との少なくとも一方の面に、他方の面に対する微小なクリアランスを保って平行状に付設されている
ことを特徴とする請求項３に記載のディスクドライブ装置用のディスクドライブユニット
。
【請求項６】
前記衝撃吸収用部材が前記ディスクドライブユニットベースに前記ガイド主軸と平行に架設された金属や硬質合成樹脂等からなる帯板形状部材と、ゴムや軟質合成樹脂等からなる弾性部材との２つの部材で構成されていて、
前記帯板形状部材が前記ピックアップブユニットベースに前記ガイド主軸と平行に形成された凹溝や貫通孔等の挿通部内に挿通され、
前記弾性部材が前記挿通部内に前記ガイド主軸と平行で、かつ、前記帯板形状部材との間に微小なクリアランスを有する状態に付設されている
ことを特徴とする請求項１に記載のディスクドライブ装置用のディスクドライブユニット
。
【請求項７】
前記ディスクドライブユニットベースの上下に架設された上下一対の前記帯板形状部材が前記ピックアップユニットベースの上下面に形成された上下一対の前記凹溝内に挿通され、
上下一対の前記凹溝内に上下一対の前記弾性部材が凹形の断面形状で、かつ、上下一対の前記帯板形状部材との間に微小なクリアランスを有する状態に付設されている
ことを特徴とする請求項６に記載のディスクドライブ装置用のディスクドライブユニット
。
【請求項８】
前記衝撃吸収用部材が前記ディスクドライブユニットベースに前記ガイド主軸と平行に架設された金属や硬質合成樹脂等からなる帯板形状部材と、ゴムや軟質合成樹脂等からなる弾性部材との２つの部材で構成され、
前記帯板形状部材が前記ピックアップブユニットベースに前記ガイド主軸と平行に形成された角孔内に挿通され、
前記弾性部材が前記角孔の内周面全体に前記ガイド主軸と平行で、かつ、前記帯板形状部材との間に微小なクリアランスを有する状態に付設されている
ことを特徴とする請求項１に記載のディスクドライブ装置用のディスクドライブユニット
。
【請求項９】
前記ピックアップユニットベースの厚みが約３ｍｍ、前記ガイド主軸の直径が約１．５ｍｍに構成されている
ことを特徴とする請求項１に記載のディスクドライブ装置用のディスクドライブユニット。
【請求項１０】
ローディング・イジェクト用スライドベースの開口部内に複数個の緩衝用インシュレータによって弾性的に支持されたディスクドライブユニットベースにディスク状記録媒体を回転駆動するスピンドルモータ及びピックアップユニット送り機構が搭載されたディスクドライブユニットと、
前記ディスク状記録媒体に情報を記録及び／又は再生するピックアップ手段がピックアップユニットベースに搭載されたピックアップユニットとを備え、
前記ピックアップユニットが前記ディスクドライブユニットべ−スの開口部内にガイド主軸及びガイド副軸を介して前記ディスク状記録媒体の半径方向に移動自在に支持され、該ピックアップユニットが前記ピックアップユニット送り機構によって前記ディスク状記録媒体の半径方向へ移送されるディスクドライブ装置において、
衝撃吸収用部材が前記ディスクドライブユニットベースに前記ガイド主軸と平行な方向に沿って設けられ、
前記ピックアップユニットベースが前記衝撃吸収材用部材に対して少なくとも前記ディスク状記録媒体の半径方向に対する直角な方向の微小なクリアランスを保って、前記ガイド主軸に沿って前記ディスク状記録媒体の半径方向へ摺動されるように構成された
ことを特徴とするディスクドライブ装置。
【請求項１１】
前記衝撃吸収用部材が金属や硬質合成樹脂等からなる剛性部材で構成されている
ことを特徴とする請求項１０に記載のディスクドライブ装置用のディスクドライブユニット。
【請求項１２】
前記衝撃吸収用部材がゴムや軟質合成樹脂等からなる弾性部材で構成されている
ことを特徴とする請求項１０に記載のディスクドライブ装置用のディスクドライブユニット。
【請求項１３】
前記衝撃吸収用部材が前記ディスクドライブユニットベースに前記ガイド主軸と平行に架設された金属や硬質合成樹脂等からなる帯板形状部材で構成されていて、該帯板形状部材が前記ピックアップブユニットベースに前記ガイド主軸と平行に形成された凹溝や貫通孔等の挿通部に微小なクリアランスを保って非接触状態に挿通されている
ことを特徴とする請求項１１に記載のディスクドライブ装置。
【請求項１４】
前記衝撃吸収用部材がゴムや軟質合成樹脂等の弾性部材で構成されていて、該衝撃吸収用部材が前記ピックアップユニットベースの前記ガイド主軸と平行な外側面と対向する前記ディスクドライブユニットベースの内側面にその外側面に対して微小なクリアランスを保って前記ガイド主軸と平行な方向に沿って付設されている
ことを特徴とする請求項１２に記載のディスクドライブ装置。
【請求項１５】
前記衝撃吸収用部材が前記ディスクドライブユニットベースに前記ガイド主軸と平行に架設された金属や硬質合成樹脂等からなる帯板形状部材と、ゴムや軟質合成樹脂等からなる弾性部材との２つの部材で構成され、
金属や硬質合成樹脂等からなる前記帯板形状部材が前記ピックアップブユニットベースに前記ガイド主軸と平行に形成された凹溝内に挿通され、
ゴムや軟質合成樹脂等からなる弾性部材が前記凹溝内に前記ガイド主軸と平行で、かつ、前記帯板形状部材との間に微小なクリアランスを有する状態に付設されている
ことを特徴とする請求項１０に記載のディスクドライブ装置用のディスクドライブユニット。
【請求項１６】
金属や硬質合成樹脂等からなる前記帯板形状部材が前記ディスクドライブユニットベースの上下に平行状に架設されていて、該帯板形状部材が前記ピックアップユニットベースの上下面に対称状に形成された上下一対の前記凹溝内に挿通され、
ゴムや軟質合成樹脂等からなる前記弾性部材が上下一対の前記凹溝内に断面形状が凹形で、かつ、上下一対の前記帯板形状部材との間に微小なクリアランスを有する状態に付設されている
ことを特徴とする請求項１５に記載のディスクドライブ装置用のディスクドライブユニット。
【請求項１７】
前記衝撃吸収用部材が前記ディスクドライブユニットベースに前記ガイド主軸と平行に架設された金属や硬質合成樹脂等からなる帯板形状部材と、ゴムや軟質合成樹脂等からなる弾性部材との２つの部材で構成され、
金属や硬質合成樹脂等からなる前記帯板形状部材が前記ピックアップブユニットベースに前記ガイド主軸と平行に形成された角孔内に挿通され、
ゴムや軟質合成樹脂等からなる弾性部材が前記角孔の内周面全体に前記ガイド主軸と平行で、かつ、前記帯板形状部材との間に微小なクリアランスを有する状態に付設されている
ことを特徴とする請求項１０に記載のディスクドライブ装置用のディスクドライブユニット。
【請求項１８】
前記ピックアップユニットベースの厚みが約３ｍｍ、前記ガイド主軸の直径が約１．５ｍｍに構成されている
ことを特徴とする請求項１０に記載のディスクドライブ装置。
【発明の詳細な説明】
【技術分野】
【０００１】
本発明は、ＣＤ、ＣＤ−ＲＯＭ、ＣＤ−Ｒ／ＲＷ、ＤＶＤ、記録型ＤＶＤ等の光ディスクや光磁気ディスクその他のディスク状記録媒体に映像情報等の情報を記録及び／又は再生するためのディスクドライブ装置用のディスクドライブユニットと、そのディスクドライブユニットが搭載されたディスクドライブ装置に関するものである。
【背景技術】
【０００２】
従来から、ＣＤ、ＣＤ−ＲＯＭ、ＣＤ−Ｒ／ＲＷ、ＤＶＤ等の光ディスクや光磁気ディスク等のディスク状記録媒体に映像情報を記録及び／又は再生するディスクドライブ装置の一例としての光ディスクドライブ装置は、ケース（外筐）内から出し入れされるローディング・イジェクト用スライドベースと、そのスライドベースの開口部内に複数個のインシュレータによって弾性的に支持された光ディスクドライブユニットとを備えている。
【０００３】
更に、その光ディスクドライブユニットにはディスク状記録媒体としての光学ディスクを回転駆動するスピンドルモータ及び光ピックアップユニット送り機構が搭載された光ディスクドライブユニットベースの開口部内に光ピックアップユニットが搭載されていて、その光ピックアップユニットには光学ディスクに映像情報を記録及び／又は再生するピックアップ手段としての光ピックアップが搭載された光ピックアップユニットベースが備えられ、その光ピックアップユニットベースは光ディスクドライブユニットべースの開口部内でガイド主軸及びガイド副軸によって案内され、光ピックアップユニット送り機構によって駆動されることにより、光ピックアップを光学ディスクの半径方向へ移送して、その光学ディスクに映像信号を記録及び／又は再生するように構成されている（例えば、特許文献１〜５）。
【０００４】
近年、ノート型パソコン（パーソナルコンピュータの略）等の小型化、薄型化に伴い、ノート型パソコン内に組み込まれるように搭載される光ディスクドライブ装置のより一層の薄型化が要求されている。
そして、光ディスクドライブ装置の薄型化を促進する上では、光ピックアップユニットのベースである光ピックアップユニットベースの薄型化が最も重要である。
【０００５】
光ディスクドライブ装置では、通常、光ピックアップユニットベースの位置決め精度を高くするために、その光プックアップユニットベースの一側部内の厚みのセンター上に形成された軸受圧入用孔内に筒状の含油メタル軸受を圧入して、その含油メタル軸受をディスクドライブユニットベースの開口部内に水平に架設したガイド主軸の外周に摺動自在に挿通された構造が採用されている。
【０００６】
従って、光ピックアップユニットベースの薄型化を実行するためには、直径が１２ｃｍの光学ディスク対応の光ディスクドライブ装置のガイド主軸の直径を現行の２ｃｍより十分に小さい直径に変更しなければならない。
【０００７】
そこで、本発明の発明者が、光ピックアップユニットベースの薄型化を促進するために、次のような実験を試みたところ、次のような問題が発生した。
つまり、光ピックアップユニットベースの厚さを、例えば３ｍｍに構成するためには、その光ピックアップユニットベースの厚みのセンター上に含油メタル軸受を圧入する際に、その光ピックアップユニットベースの軸受圧入用孔の上下部分に変形や割れ等のクリープが発生しないように、その光ピックアップユニットベースの上下部分の肉厚を最低でもそれぞれ０．３５ｍｍ以上に構成する必要がある。
【０００８】
しかし、光ピックアップユニットベースの上下部分の肉厚＝０．３５ｍｍに設定すれば、含油メタル軸受の肉厚の最小値が強度的に０．４ｍｍとされていることから、その含油メタル軸受の外径が最低でも２．３ｍｍとなり、結果的に、ガイド主軸の直径＝１．５ｍｍもの非常に細い軸となってしまう。
【０００９】
この際、ＭＤドライブ装置のように、光学ディスクの直径が小さいことから、光ピックアップユニットベースを案内するガイド主軸の長さを短くすることができる上に、光ピックアップユニットベースの重量自体も著しく軽量化することができるものでは、ガイド主軸の直径＝１．５ｍｍ以下に構成することが可能である。
【００１０】
しかしながら、本発明の発明者が実験したところ、直径が１２ｃｍの光学ディスク対応のＣＤ、ＣＤ−ＲＯＭ、ＣＤ−Ｒ／ＲＷ、ＤＶＤ、記録型ＤＶＤ等の光ディスクドライブ装置においては、ＭＤドライブ装置に比べて、光ピックアップユニットベースを案内するガイド主軸の長さが長くなる上に、光ピックアップユニットベースの重量も増大することから、ガイド主軸の直径をΦ＝１．５ｍｍに構成した場合、後述するように、光ディスクドライブ装置の落下衝撃スペックでの落下実験によって、ガイド主軸が塑性変形してしまうと言う問題があった。
【特許文献１】特開２００１−３２５７７６号公報
【特許文献２】特開２００４−６０３７号公報
【特許文献３】特開２００４−１３２４５０号公報
【特許文献４】特開平１０−４９８８３号公報
【特許文献５】特開平５−３２５２０２号公報
【発明の開示】
【発明が解決しようとする課題】
【００１１】
本発明が解決しようとする問題点は、ピックアップユニットベースの厚みを最大限に薄くするために、ガイド主軸の直径を最大限に小さくしても、ディスクドライブ装置の落下衝撃によるガイド主軸の塑性変形を防止することができるようにする点である。
【課題を解決するための手段】
【００１２】
本発明のディスクドライブユニットとディスクドライブ装置は、ガイド主軸の直径を最大限に小さくしても、ディスクドライブ装置の落下衝撃によるガイド主軸の塑性変形を防止することができるようにするために、
ディスク状記録媒体を回転駆動するスピンドルモータ及びピックアップユニット送り機構が搭載されたディスクドライブユニットベースと、
前記ディスク状記録媒体に情報を記録及び／又は再生するピックアップ手段がピックアップユニットベースに搭載され、該ピックアップユニットベースが前記ディスクドライブユニットベースに架設されたガイド主軸に沿って前記ディスク状記録媒体の半径方向へ摺動されるピックアップユニットとを備えたディスクドライブ装置用のディスクドライブユニットにおいて、
衝撃吸収用部材が前記ディスクドライブユニットベースに前記ガイド主軸と平行な方向に沿って設けられ、
前記ピックアップユニットベースが前記衝撃吸収材用部材に対して少なくとも前記ディスク状記録媒体の半径方向に対する直角な方向の微小なクリアランスを保って、前記ガイド主軸に沿って前記ディスク状記録媒体の半径方向へ摺動されるように構成された
ことを特徴とするものである。
【００１３】
また、本発明のディスクドライブユニットとディスクドライブ装置は、衝撃吸収用部材が金属や硬質合成樹脂等の剛性部材やゴムや軟質合成樹脂の弾性部材等によって構成することができるものである。
【００１４】
従って、本発明のディスクドライブユニットとディスクドライブ装置は、落下衝撃によるガイド主軸の塑性変形を未然に防止することができる。
【実施例１】
【００１５】
始めに、図１〜図１１によって、ノート型パソコン等に適用するのに最適な本発明の超薄型のディスクドライブ装置の一例であって、直径１２ｃｍの光学ディスク対応の光ディスクドライブ装置の実施例１を説明する。
【００１６】
後述するように、本発明のディスクドライブ装置の一例である超薄型の光ディスクドライブ装置１は、扁平で中空状の筐体である外装２と、その外装２の一側部の開口部２ａから水平方向である矢印ａ、ｂ方向にローディング・イジェクト（出し入れすること）される扁平形状のローディング・イジェクト用スライドベース（以下、単にスライドベースと記載する）３とを備えていて、そのスライドベース３上にディスクドライブユニットの一例である扁平形状の光ディスクドライブユニット４及びピックアップユニットの一例である扁平形状の光ピックアップユニット５が搭載されている。
【００１７】
そして、光ディスクドライブユニット４はディスクドライブユニットベースの一例である扁平形状の光ディスクドライブユニットベース４０を備え、光ピックアップユニット５はピックアップユニットベースの一例である扁平形状の光ピックアップユニットベース５０を備えている。そして、光ディスクドライブユニットベース４０にはガイド主軸４３、ガイド副軸４４及び衝撃吸収用部材６０の剛性部材としての帯板形状部材６１が備えられていて、光ディスクドライブユニットベース４０及び光ピックアップユニットベース５０の両方に衝撃吸収用部材６０の帯板形状部材６１と弾性部材６２ａ、６２ｂ、６２ｃが備えられている。
【００１８】
ここで、図１は光ディスクドライブ装置１全体を示した斜視図であり、図２及び図３はその光ディスクドライブ装置１のスライドベース３に搭載された光ディスクドライブユニット４及び光ピックアップユニット５を示した斜視図であり、図４は光ピックアップユニット５を拡大した斜視図である。そして、図５及び図６は光ディスクドライブユニットベース４０に平行状に架設されたガイド主軸４３及び衝撃吸収用部材６０の帯板形状部材６１と、光ディスクドライブユニットベース４０と光ピックアップユニットベース５０の両方に付設された衝撃吸収用部材６０の弾性部材６２とを説明する斜視図であり、図７及び図８は図５及び図６の要部の機能を説明する拡大断面図である。
【００１９】
そこで、図１及び図２によって、光ディスクドライブ装置１全体の概要を説明すると、外装２内の一側部には図示省略されたローディング機構が収納されていて、このローディング機構によってスライドベース３が外装２の一側部の開口部３ａから内外へ矢印ａ、ｂ方向からローディング・イジェクトされるように構成されている。
【００２０】
このスライドベース３の上面には、ＣＤ、ＣＤ−ＲＯＭ、ＣＤ−Ｒ／ＲＷ、ＤＶＤ、記録型ＤＶＤ等の光ディスクや光磁気ディスク及びその他の各種のディスク状記録媒体の一例である光学ディスク６であって、直径１２ｃｍの光学ディスク６を水平状に収納することができ、全体として円形状の凹所３０が形成されている。
【００２１】
このスライドベース３の凹所３０の底部には、外形が不等辺の多角形状に形成されている光ディスクドライブユニット４の外径に沿った開口部３１が形成されていて、その開口部３１内にアルミダイカストやエンジニアリングプラスチック等の金属や硬質合成樹脂にて成形された光ディスクドライブユニット４がゴム等の弾性材料によって扁平形に形成されている複数個のインシュレータ３２を介して水平状に搭載されている。
【００２２】
そして、光ディスクドライブユニット４の外周フレームに相当し、不等辺の多角形状に形成されている扁平形状の光ディスクドライブユニットベース４０の一端側に垂直状に搭載されたスピンドルモータ４１のターンテーブル４１ａがスライドベース３の凹部７の中央に上向きに配置されている。そして、光学ディスク６が中心穴６ａによってこのターンテーブル４１ａ上に着脱自在で、水平状に装着されてスライドベース３の凹所３０内に収容されるように構成されている。なお、この光ディスクドライブユニットベース４０の内側には不等辺の多角形状に形成されている開口部４２がスピンドルモータ４１と直列状に形成されている。
【００２３】
また、光ピックアップユニット５はアルミダイカストやエンジニアリングプラスチック等の金属や硬質合成樹脂にて成形されて、外形が不等辺の多角形状に形成されている扁平形状の光ピックアップユニットベース５０内にピックアップ手段である光ピックアップ５１が組み込まれたものであり、その光ピックアップ５１の対物レンズ５１ａが光ピックアップユニットベース５０の上面で、スピンドルモータ４１寄りの位置に上向きに配置されている。この光ピックアップユニット５は光ディスクドライブユニットベース４０内で、スピンドルモータ４１の横位置に大きく開口されている開口部４２内に水平状に収容されている。
【００２４】
そして、この光ピックアップユニットベース５０は光ディスクドライブユニットベース４０の両側部４０ａ、４０ｂの内側に沿って平行状で、水平状に架設されて、開口部４２内の両側位置に配置されたそれぞれ円柱軸からなるガイド主軸４３及びガイド副軸４４で案内されて、光学ディスク６の半径方向である矢印ｃ、ｄ方向にスライド自在に構成されている。また、この光ピックアップユニットベース５０は光ディスクドライブユニットベース４０の一側部に搭載されたピックアップユニット送り機構の一例である光ピックアップユニット送り機構４５によって矢印ｃ、ｄ方向にスライド駆動されるように構成されている。
【００２５】
なお、光ピックアップユニットベース５０の一側部５０ａが円筒状の含油メタル軸受５２によって円柱軸からなるガイド主軸４３の外周に摺動自在に挿通されていて、その光ピックアップユニットベース５０の他側部５０ｂがほぼＵ型で水平状の溝である係合部５３によって円柱軸からなるガイド副軸４４の上下に摺動自在に係合されている。
【００２６】
また、光ピックアップユニット送り機構４５は光ディスクドライブユニットべ−ス４０の一側部４０ａに搭載されて、その光ディスクドライブユニットベース４０の厚み内に収容されているスピンドルモータ４５ａと、そのスピンドルモータ４５ａによってギヤトレイン４５ｂを介して回転駆動される送り軸であるリードスクリュー４５ｃとによって構成されていて、そのリードスリュー４５ｃがガイド主軸４３の横位置に平行状に近接されている。
【００２７】
そして、光ピックアップユニットベース５０の一側部に取付けられた係合子５４がほぼラックの歯に類似する形状に形成されていて、この係合子５４がリードスクリュー４５ｃの外周のラセン溝４５ｄに横側方から係合されている。なお、係合子５４は全体としてほぼＬ型の板バネ５５を介して光ピックアップユニットベース５０の下面側に取付けられている。
【００２８】
従って、スピンドルモータ４５ａによってギアトレイン４５ｂを介してリードスクリュー４５ｃが正逆回転駆動されることによって、光ピックアップユニットベース５０がガイド主軸４３及びガイド副軸４４で案内されながら矢印ｃ、ｄ方向へスライド駆動されるように構成されている。なお、前述した複数のインシュレータ３２は光ディスクドライブユニットベース４０の外周部分に形成された複数のインシュレータ支持部４６の上下対向面に装着されて、スライドベース３の開口部３０の縁部分を上下から弾性的に挟持するように構成されている。
【００２９】
以上のような概要構造を備えた本発明の超薄型の光ディスクドライブ装置１は、ノート型パソコン等のスリット内に外装２によって装着されて使用される。そして、図１に示すように、光学ディスク６をスピンドルモータ４１のターンテーブル４１ａ上に水平に装着して、スライドベース３をローディング機構によって外装２内に矢印ａ方向からローディングする。
【００３０】
そして、コンピュータからのディスク記録、再生の指令信号によって、スピンドルモータ４１が光学ディスク６を回転駆動すると共に、光ピックアップ５１の対物レンズ５１ａによって光ビームが光学ディスク６の下面に収束された状態で、光ピックアップユニット送り機構４５によって光ピックアップユニットベース５０が光学ディスク６の半径方向に沿って矢印ｃ、ｄ方向へシーク及びトラッキングされて、光学ディスク６に映像情報等が記録、再生されるように構成されている。
【００３１】
そして、本発明の光ディスクドライブ装置１は、図７に示すように、ガイド主軸４３を直径Ｄ１＝約１．５ｍｍの非常に細い軸に構成し、ガイド副軸４４も直径＝約１．５ｍｍの非常に細い軸に構成することによって、光ピックアップユニットベース５０を厚みＴ１＝３ｍｍ以下の非常に薄い厚みに構成することができたものである。そして、光ディスクドライブユニットベース４０も厚みＴ２＝３ｍｍ以下に構成してたことにより、スライドベース３の厚みＴ３＝６．５ｍｍ以下に構成することができて、外装２の厚みＴ４＝８ｍｍ以下の超薄型の光ディスクドライブ装置１を構成することができたものである。
【００３２】
そこで、図２〜図８によって、本発明の光ディスクドライブ装置１の超薄型化と落下時等における耐衝撃性の向上を実現した構造について説明する。
【００３３】
即ち、衝撃吸収用部材６０が剛性部材としての帯板形状部材６１と弾性部材６２ａ、６２ｂ、６２ｃとの２種類の部材で構成されていて、帯板形状部材６１は例えばアルミダイカスト等の金属やエンジニアリングプラスチック等の硬質合成樹脂等にて、厚みが約１ｍｍの帯板形状に構成されている。また、弾性部材６２ａ、６２ｂ、６２ｃは例えばゴムや軟質合成樹脂等にて厚みが例えば約２ｍｍ以上の角柱形状や帯状等に形成されている。
【００３４】
そして、帯板形状部材６１が光ディスクドライブユニットベース４０の開口部４２内で、ガイド主軸４３側の上部をガイド主軸４３と平行な水平状に横断するようにその光ディスクドライブユニットべース４０に架設されている。この際、この帯板形状部材６１は光ディスクドライブユニットベース４０の上面４０ｃと面一又はその上面４０ｃより僅かに低い状態となるように、その光ディスクドライブユニットベース４０に一体成形或いは後付け方法等によって固着されている。
【００３５】
そして、光ピックアップユニットベース５０の上面５０ｃにガイド主軸４３と平行状に形成された挿通部である凹溝６３内の上部中央位置に帯板形状部材６１が水平状で、非接触状態に挿入されている。そして、凹溝６３の垂直状の左右両側面６３ａ、６３ｂには左右一対の弾性部材６２ａ、６２ｂが接着等にて固着されていて、これら左右一対の弾性部材６２ａ、６２ｂが帯板形状部材６１の左右両側位置に平行状に配置されている。
そして、帯板形状部材６１の左右両側面と左右一対の弾性部材６２ａ、６２ｂとの間には約０．３ｍｍのクリアランス６４ａ、６４ｂが形成されている。また、帯板形状部材６１の下面と凹溝６３の底面６３ｃとの間にもクリアランス６４ｃが形成されている。
【００３６】
一方、光ディスクドライブユニットベース４０の他側部４０ｂの内側面４０ｄがガイド主軸４３と平行な垂直面に形成されていて、その内側面４０ｄにも弾性部材６２ｃがその内側面４０ｄの全長に亘って接着されている。そして、光ピックアップユニットベース５０の他側部５０ｂのＵ溝等の係合部５４が形成されている小幅部分５０ｄの上下一対の外側面５０ｅもガイド主軸４３と平行な垂直面に形成されている。
【００３７】
そして、この上下一対の外側面５０ｅと弾性部材６２ｃとの間にもクリアランス６４ｄが形成されていて、このクリアランス６４ｄも前記クリアランス６４ａ、６４ｂと同様に約０．３ｍｍに形成されている。但し、この弾性部材６２ｃは前記弾性部材６２ａ、６２ｂと同材質、同厚みの帯状に形成されているが、この弾性部材６２ｃの上下方向の幅は光ピックアップユニットベース５０の小幅部分５０ｄの上下方向の全幅とほぼ同寸法に形成されている。
【００３８】
以上のように、本発明の光ディスクドライブ装置１は、ガイド主軸４３、ガイド副軸４４、２個の含油メタル軸受５２、係合子５４及び衝撃吸収用部材６０等の全てが光ピックアップユニットベース５０の厚みＴ１＝３ｍｍ内に収容されていることから、超薄型の光ディスクドライブ装置１を構成することができる。
【００３９】
一方、図１及び図２に示しているように、光ディスクドライブユニット４はスライドベース３の開口部３１内に複数のインシュレータ３２によって弾性的に支持されている。従って、光ディスクドライブ装置１の落下時等の外部衝撃Ｇがガイド主軸４３に軸方向に対する直角な方向から加えられた場合に、直径Ｄ１、Ｄ２が共に約１．５ｍｍである非常に細いガイド主軸４３やガイド副軸４４が塑性変形（破損）し易い危険性を有している。
しかし、本発明の光ディスクドライブ装置１は、ガイド主軸４３と平行に架設されている衝撃吸収用部材６０によってガイド主軸４３の塑性変形を未然に防止することができる。
【００４０】
つまり、光ピックアップユニットベース５０が光ピックアップ送り機構４５によってガイド主軸４３及びガイド副軸４４に沿って矢印ｃ、ｄ方向へシーク及びトラッキングされる際には、図５、図６及び図７に示すように、光ピックアップユニットベース５０が貫通孔５６内のクリアランス６４ａ，６４ｂ、６４ｃ、６４ｄによって衝撃吸収用部材６０の帯板形状部材６１及び弾性部材６２ａ、６２ｂ、６２ｃに対して非接触状態で移動される。
【００４１】
しかし、図６及び図８に示すように、光ディスクドライブ装置１の落下時等の外部衝撃Ｇが光ピックアップユニットベース５０に矢印ｅ方向から加えられて、その光ピックアップユニットベース５０を介してガイド主軸４３に軸方向に対する直角な方向である矢印ｅ方向の外部衝撃Ｇが加えられた場合、そのガイド主軸４３が矢印ｅ方向へクリアランス６４ａ、６４ｄである０．３ｍｍ相当分だけ僅かに撓んだ時に、光ピックアップユニットベース５０の凹溝６３内の一方の弾性部材６２ａが帯板形状部材６１の一方の側面６１ａに衝突すると同時に、光ピックアップユニットベース５０の小幅部分５０ｄの上下一対の外側面５０ｅが光ディスクドライブユニットベース５０の内側面４０ｄの弾性部材６２ｃに衝突する。
【００４２】
これにより、矢印ｅ方向の外部衝撃Ｇが緩衝されて、ガイド主軸４３の矢印ｅ方向へ塑性変形を未然に防止することができる。
なお、この際、ガイド副軸４４に対しては、光ピックアップユニットベース５０がＵ型の水平溝である係合部５３によって矢印ｅ方向へ自由に逃げることができるので、その矢印ｅ方向の外部衝撃Ｇがガイド副軸４４に作用することが全くない。
【００４３】
ここで、図９〜図１１によって、本発明の光ディスクドライブ装置１のガイド主軸４３に対する直角方向（矢印ｅ方向）に加えられる外部衝撃Ｇに対するガイド主軸４３の塑性変形に関するシミレーション結果について説明する。
【００４４】
まず、図９の（Ａ）は、前述したように、光ディスクドライブ装置１のスライドベース３の開口部３１内に光ディスクドライブユニット４を介して光ピックアップユニット５を弾性的に支持している衝撃伝達減衰ゴムであるインシュレータ３２の圧縮荷重（縦軸）に対する縮み量（横軸）を示したグラフである。
【００４５】
そこで、図９の（Ａ）に基づき、光ディスクドライブ装置１に加わる矢印ｅ方向の外部衝撃Ｇに対するインシュレータ３２の縮み量を測定したところ、外部衝撃Ｇを、Duration ３ｍｓ、Acceleration ２８４２ｍ／ｓ＾／ｓ２とし、インシュレータ３２の初期固体振動数Ｆｏを１０Ｈｚ、光ディスクドライブユニット４の質量５０ｇｆ、光ピックアップユニット５の質量１５ｇｆとすると、外部衝撃Ｇに対して、インシュレータ３２のゴムの特性により、衝撃後のインシュレータ３２の縮み量は、ｍａｘ．約０．８２ｍｍであった。
【００４６】
次に、図９の（Ｂ）は、横軸をインシュレータ３２の縮み量とし、縦軸をインシュレータ３２の固体振動数Ｆｏの変化を示したものである。ここで、ゴム縮み量０．８２ｍｍの時、インシュレータ３２の固体振動数Ｆｏは、約７５Ｈｚとなっている。
そこで、インシュレータ３２の固体振動数Ｆｏ７５Ｈｚの時に上記の外部衝撃Ｇが加わると、光ディスクドライブユニット４には、Acceleration１９３３ｍ／ｓ＾２が加わり、この時、ガイド主軸４３にかかる曲げ応力と変形量は、図１０のようになる。
【００４７】
即ち、図１０において、横軸は、光ピックアップユニット５の光学ディスク６に対する内周から外周への移動量であって、０値が内外周位置を示し、２０値が中央位置を示している。ここで、ガイド主軸４３は、材質がＳＵＳ４２０Ｊ２（焼入）、長さ５５ｍｍ、光ピックアップユニット５の含油メタル軸受５２間距離を１５ｍｍとする。結果としては、ガイド主軸径Φ１．５で、曲げに対する塑性変形の許容応力値（５５ｋｇｆ／ｍｍ＾２）ぎりぎりであり、全くマージンのないものになってしまい、Φ１．５以下では塑性変形を起してしまうことが判る。
【００４８】
ところで、本発明の光ディスクドライブ装置１では、図７に示したように、矢印ｅ方向の外部衝撃Ｇが加えられて、ガイド主軸４３が矢印ｅ方向へクリアランスｔ＝０．３ｍｍ相当分だけ僅かに撓んだ時に、光ピックアップユニットベース５０が帯板形状部材６１や光ディスクドライブユニットベース４０の内側面４０ｄに弾性部材６２ａ、６２ｃを介して当接されて、ガイド主軸４３の一定値以上の塑性変形を防止する衝撃吸収機能を備えているので、図１１に示すように、ガイド主軸４３に加えられる曲げ応力、変形量が共に大幅に軽減されることが判る。
【００４９】
即ち、外部衝撃Ｇによってガイド主軸４３が約６〜７ｍｍ撓んだところで、帯板形状部材６１と弾性部材６２ａ、６２ｃとによる衝撃吸収機能によって、ガイド主軸４３の曲げ応力が一瞬下降し、その後、そのガイド主軸４３の曲げ応力が少し上昇するものの、曲げに対する塑性変形の許容応力値である５５ｋｇｆ／ｍｍ＾２への到達には遠く及ばない安全な曲げ応力、変形量を確保できる大きな効果を得ることができた。
【００５０】
なお、ガイド副軸４４に関しては、軸の長さが短く（４０ｍｍ）構成できるので、Φ１．５でも、マージンは十分にある。また、横落下に関しては、外部衝撃Ｇにより、インシュレータ３２の縮みは発生しないので、初期のＦｏの変化はなく、Ｆｏ１０Ｈｚの場合には、落下衝撃で軸径Φ１．５でも、十分満足できる。
【００５１】
他方、光ディスクドライブ装置１に矢印ｆ方向から外部衝撃Ｇが加えられた時には、光ピックアップユニットベース５０の凹溝６３内の他方の弾性部材６２ｂが帯板形状部材６１の他方の側面６１ｂに矢印ｆ方向から衝突して、前述同様の衝撃吸収作用が実行されることになる。
なお、この場合も、光ピックアップユニットベース５０がガイド副軸４４に対して係合部５３によって矢印ｆ方向へ自由に逃げることができるので、ガイド副軸４４が外部衝撃Ｇによって矢印ｆ方向へ塑性変形されることはない。
【００５２】
以上のように、本発明の直径１２ｃｍの光学ディスク対応の光ディスクドライブ装置１の実施例１によれば、光ディスクドライブユニットベース４０及び光ピックアップユニットベース５０の厚みＴ１、Ｔ２を３ｍｍ以下に最大限薄くするために、ガイド主軸４３の直径Ｄ１及びガイド副軸４４の直径Ｄ２を共に約１．５ｍｍの最小直径に構成しても、図５〜図８で説明した、ガイド主軸４３に対する直角方向である矢印ｅ方向や矢印ｆ方向のの落下衝撃を衝撃吸収用部材６０である帯板形状部材６１と弾性部材６２ａ、６２ｂ、６２ｃとによって効果的に緩衝することができるので、直径Ｄ１＝約１．５ｍｍである最小直径のガイド主軸４３の塑性変形を未然に防止することができる。従って、光ディスクドライブ装置１の超薄型化と耐衝撃性を両立させることができる。
【００５３】
しかも、光ディスクドライブユニットベース４０の開口部４２内にガイド主軸４３と平行状で、水平状に架設された帯板形状部材６１を光ピックアップユニットベース５０の上面５０ｃにガイド主軸４３と平行状に形成された凹溝６３内に水平状に挿通させた構造は、光ディスクドライブユニットベース４０及び光ピックアップユニットベース５０の厚みＴ１、Ｔ２を３ｍｍ以下に構成するために有効な構造となっている。
【実施例２】
【００５４】
次に、図１２及び図１３によって、本発明の光ディスクドライブ装置１の実施例２を説明する。
図１２に示すように、この実施例２では、衝撃吸収用部材６０として、帯板形状部材６１のみを使用したものである。
【００５５】
そして、実施例１と同様に、その帯板形状部材６１が光ピックアップユニットベース５０の上面５０ｃに形成された挿通部である凹溝６３内にクリアランス６４ａ、６４ｂ、６４ｃを有する状態に水平状に挿通されている。
そして、帯板形状部材６１の左右両側面６１ａ、６１ｂ及び下面６１ｃと凹溝６３の左右両側面６３ａ、６３ｂ及び底面６３ｃとの間にはクリアランス６４ａ、６４ｂ、６４ｃが形成されている。
【００５６】
従って、図１３に示すように、この実施例２においては、光ディスクドライブ装置１の落下等による矢印ｅ方向の外部衝撃Ｇが加えられた際には、光ピックアップユニットベース５０の凹溝６３内の右側の側面６３ａが帯板形状部材６１の右側の側面６１ａに矢印ｅ方向から衝突されて緩衝されることにより、直径Ｄ１＝約１．５ｍｍと非常に細いガイド主軸４３の矢印ｅ方向の塑性変形を未然に防止することになる。
【００５７】
同様に、光ディスクドライブ装置１に落下等による矢印ｆ方向の外部衝撃Ｇが加えられた時には、光ピックアップユニットベース５０の凹溝６３内の左側の側面６３ｂが帯板形状部材６１の左側の側面６１ｂに矢印ｆ方向から衝突されて、その外部衝撃Ｇが緩衝されることにより、ガイド主軸４３の矢印ｅ方向の塑性変形を未然に防止することになる。
【００５８】
そして、この実施例２の光ディスクドライブ装置１によれば、衝撃吸収用部材６０として剛性部材である帯板形状部材６１のみで構成できることから、部品点数及び組立工数の削減による低コスト化と軽量化を図ることができる。
【実施例３】
【００５９】
次に、図１４及び図１５によって、本発明の光ディスクドライブ装置１の実施例３を説明する。
図１４に示すように、この実施例３では、衝撃吸収用部材６０として、１本の弾性部材６２ｃのみを使用したものである。
【００６０】
即ち、光ディスクドライブユニットベース４０の開口部４２におけるガイド主軸４３と平行で垂直状の内側面４０ｄに帯状の弾性部材６２ｃを接着等にて垂直状に固着したものである。そして、この弾性部材６２ｃの内側面６２ｃと光ピックアップユニットベース５０の小幅部分５０ｄの垂直状の側面との間にはクリアランス６４ｄが形成されている。
【００６１】
従って、図１５に示すように、光ディスクドライブ装置１の落下等による矢印ｅ方向の外部衝撃Ｇが加えられた時に、光ピックアップユニットベース５０の他側部５０ｂにおける小幅部分５０ｄの側面５０ｅをその弾性部材６２ｃに矢印ｅ方向から衝突させることにより、ガイド主軸４３の矢印ｅ方向の塑性変形を未然に防止するように構成したものである。
【００６２】
そして、この実施例３の光ディスクドライブ装置１によれば、外部衝撃Ｇを緩衝する方向が矢印ｅ方向のみの一方向に限られている反面、部品点数、及び組立工数の更なる削減による更なる低コスト化と更なる軽量化を促進することができる。
【実施例４】
【００６３】
次に、図１６〜図１８によって、本発明の光ディスクドライブ装置１の実施例４を説明する。
図１６に示すように、この実施例４は、実施例２に示した衝撃吸収用部材６０として、剛性部材である２本の帯板形状部材６１を使用したものである。
【００６４】
そして、実施例１と同様に、２本の帯板形状部材６１が光ディスクドライブユニットベース４０の開口部４２内の上下位置にガイド主軸４３と平行状に架設されている。そして、これら上下一対の帯板形状部材６１が光ピックアップユニットベース５０の上下両面５０ｃ、５０ｄにガイド主軸４３と平行状に形成された挿通部である上下一対で、上下対称形状の凹溝６３内に水平状に挿通されている。
なお、これら上下一対の帯板形状部材６１の左右両側面６１ａ、６１ｂ及び下面（上面
）６１ｃと凹溝６３の左右両側面６３ａ、６３ｂ及び上下両底面６３ｃとの間にはクリアランス６４ａ、６４ｂ、６４ｃが形成されている。
【００６５】
従って、図１７に示すように、この実施例４においては、光ディスクドライブ装置１の落下等による水平方向である矢印ｅ方向の外部衝撃Ｇが加えられた際には、光ピックアップユニットベース５０の上下一対の凹溝６３内の右側の上下一対の側面６３ａが上下一対の帯板形状部材６１の上下一対の右側の側面６１ａに矢印ｅ方向から同時に衝突されて、その外部衝撃Ｇをより一層強力に緩衝することができるので、直径Ｄ１＝約１．５ｍｍの非常に細いガイド主軸４３の矢印ｅ方向の塑性変形を強力に防止することができる。
【００６６】
同様に、光ディスクドライブ装置１に落下等による水平方向である矢印ｆ方向の外部衝撃Ｇが加えられた時には、光ピックアップユニットベース５０の上下一対の凹溝６３内の左側の上下一対の側面６３ｂが上下一対の帯板形状部材６１の上下一対の左側の側面６１ｂに矢印ｆ方向から衝突されて、その外部衝撃Ｇをより一層強力に緩衝することができて、ガイド主軸４３の矢印ｆ方向の塑性変形を強力に防止することができる。
【００６７】
しかも、図１８に示すように、この実施例４においては、上下一対の帯板形状部材６１を光ピックアップユニットベース５０の上下両面５０ｃ、５０ｇに上下対称形状に形成した上下一対の凹溝６３内に上下対称状に挿通させているので、光ディスクドライブ装置１の落下等により、ガイド主軸４３及びガイド副軸４４に対して直角な方向であって、且つ、垂直方向（上下方向）である矢印ｇ、ｈ方向の外部衝撃Ｇをも確実に緩衝することができる。
【００６８】
但し、この垂直方向である矢印ｇ、ｈ方向に外部衝撃Ｇが加えられた時には、光ピックアップユニットべース５０が平行に上下動することになるので、ガイド副軸４４にの係合部５３を介して矢印ｇ、ｈ方向の外部衝撃Ｇが加えられる。つまり、この場合は、ガイド主軸４３及びガイド副軸４４の両方に矢印ｇ、ｈ方向の曲げ応力が加えられることになって、これらガイド主軸４３及びガイド副軸４４が矢印ｇ、ｈ方向へ塑性変形される可能性がある。
【００６９】
しかし、この実施例４では、図１８に示すように、光ディスクドライブ装置１に落下等により、下方向である矢印ｇ方向の外部衝撃Ｇが加えられた時には、光ピックアップユニットベース５０がクリアランス６４ｃ相当分、下方へ平行移動すると、その光ピックアップユニットベース５０の下側の凹溝６３の下向きの底面６３ｃが下側の帯板形状部材６１の上向きの下面６１ｃに上方から衝突されて、その外部衝撃Ｇが緩衝される。
従って、ガイド主軸４３及びガイド副軸４４の矢印ｇ方向の塑性変形を未然に防止することができる。
【００７０】
同様に、光ディスクドライブ装置１に落下等により、上方向である矢印ｈ方向の外部衝撃Ｇが加えられた時には、光ピックアップユニットベース５０がクリアランス６４ｄ相当分、上方へ平行移動すると、その光ピックアップユニットベース５０の上側の凹溝６３の上向きの底面６３ｃが上側の帯板形状部材６１の下向きの下面６１ｃに下方から衝突されて、その外部衝撃Ｇが緩衝されるので、ガイド主軸４３及びガイド副軸４４の矢印ｈ方向の塑性変形を未然に防止することができる。
【００７１】
従って、この実施例４によれば、直径が約１．５ｍｍと非常に細いガイド主軸４３とガイド副軸４４の矢印ｅ、ｆ方向である水平方向の外部衝撃Ｇによる塑性変形と、矢印ｇ、ｈ方向である上下方向の外部衝撃Ｇによる矢印ｇ、ｈ方向の塑性変形との直交する２方向である広範囲の方向の塑性変形を未然に防止することができて、外部衝撃Ｇに対する安全性がより一層拡大される特徴がある。
【実施例５】
【００７２】
次に、図１９〜図２１によって、本発明の光ディスクドライブ装置１の実施例５を説明する。
図１９に示すように、この実施例５は、実施例４に示した挿通部である上下一対の凹溝６３内に凹形の弾性部材６５を上下対称状に接着等にて固着させて、上下一対の帯板形状部材６１の左右両側面６１ａ、６１ｂ及び下面（上面）６１ｃと凹形の弾性部材６５の左右両側面６５ａ、６５ｂ及び底面６５ｃとの間にクリアランス６４ａ、６４ｂ、６４ｃを形成したものである。
【００７３】
従って、図２０及び図２１に示すように、この実施例５においては、実施例４と同様に、光ディスクドライブ装置１の落下等による水平方向である矢印ｅ、ｆ方向と垂直方向（上下方向）である矢印ｇ、ｈ方向の４方向の外部衝撃Ｇを上下一対の凹形の弾性部材６５によって効果的に緩衝することができる。
【００７４】
つまり、矢印ｅ方向又は矢印ｆ方向の外部衝撃Ｇに対しては、上下一対の凹形の弾性部材６５の右側の側面６５ａが上下一対の帯板形状部材６１の右側の側面６１ａに矢印ｅ方向から衝突されるか、又は上下一対の弾性部材６５の左側の側面６５ｂが上下一対の帯板形状部材６１の左側の側面６１ｂに矢印ｆ方向から衝突されることによってそれぞれ緩衝される。
【００７５】
また、矢印ｇ方向又は矢印ｈ方向の外部衝撃Ｇに対しては、実施例４と同様に、光ピックアップユニットベース５０がクリアランス６４ｃ、６４ｄ相当分、下方又は上方へ平行移動して、下側の凹形の弾性部材６５の下向きの底面６５ｃが下側の帯板形状部材６１の上向きの下面６１ｃに矢印ｇ方向から衝突されるか、又は上側の凹形の弾性部材６５の上向きの底面６５ｃが上側の帯板形状部材６１の下向きの下面６１ｃに衝突されることによってそれぞれ緩衝される。
【００７６】
従って、実施例４と同様に、直径が約１．５ｍｍと非常に細いガイド主軸４３及びガイド副軸４４の直交する２方向である矢印ｇ、ｈ方向及び矢印ｇ、ｈ方向の塑性変形を未然に防止することができる。
【実施例６】
【００７７】
次に、図２２〜図２４によって、本発明の光ディスクドライブ装置１の実施例６を説明する。
図２２に示すように、この実施例６は、帯板形状部材６１の挿通部としての貫通孔である長方形状の角孔６６を使用したものである。
【００７８】
そして、長方形状の角孔６６が光ピックアップユニットベース５０の厚み方向の中心に沿って水平状（横長形状）で、かつ、ガイド主軸４３と平行な方向に、この光ピックアップユニットベース５０に貫通されている。
一方、１本の帯板形状部材６１が光ディスクドライブユニットベース４０の厚み方向の中心に沿ってガイド主軸４３と平行状に架設されていて、その帯板形状部材６１が角孔６６の上下左右の中心位置に水平状に挿通されている。そして、帯板形状部材６１の左右両側面６１ａ、６１ｂ及び上下面６１ｃ、６１ｄと角孔６６の内周面である左右両側面６６ａ、６６ｂ及び上下面６６ｃ、６６ｄとの間には約０．３ｍｍのクリアランス６７ａ、６７ｂ及び６７ｃ、６７ｄが形成されている。
【００７９】
従って、図２３に示すように、この実施例６においては、光ディスクドライブ装置１の落下等による水平方向である矢印ｅ方向の外部衝撃Ｇが加えられた時には、光ピックアップユニットベース５０の角孔６６内の右側の側面６６ａが帯板形状部材６１の右側の側面６１ａに矢印ｅ方向から衝突されて、その外部衝撃Ｇを緩衝することができるので、直径Ｄ１＝約１．５ｍｍの非常に細いガイド主軸４３の矢印ｅ方向の塑性変形を防止することができる。
【００８０】
同様に、光ディスクドライブ装置１の落下等による水平方向である矢印ｆ方向の外部衝撃Ｇが加えられた時には、光ピックアップユニットベース５０の角孔６６内の左側の側面６６ａが帯板形状部材６１の左側の側面６１ｂに矢印ｆ方向から衝突されて、その外部衝撃Ｇを緩衝することができるので、ガイド主軸４３の矢印ｆ方向の塑性変形を防止することができる。
【００８１】
しかも、図２４に示すように、この実施例６においては、実施例４と同様に、光ディスクドライブ装置１の落下等により、下方向で矢印ｇ方向の外部衝撃Ｇが加えられた時には、光ピックアップユニットベース５０がクリアランス６７ｃ相当分、下方へ平行移動して、その光ピックアップユニットベース５０の角孔６６内の下向きの上側面６６ｄが帯板形状部材６１の上側面６１ｄに矢印ｇ方向から衝突されて、その外部衝撃Ｇが緩衝される。  従って、ガイド主軸４３及びガイド副軸４４の矢印ｇ方向の塑性変形を防止することができる。
【００８２】
同様に、光ディスクドライブ装置１の落下等により、上方向である矢印ｈ方向の外部衝撃Ｇが加えられた時には、光ピックアップユニットベース５０がクリアランス６７ｄ相当分、下方へ平行移動して、その光ピックアップユニットベース５０の角孔６６内の上向きの下側面６６ｃが帯板形状部材６１の下側面６１ｃに矢印ｈ方向から衝突されて、その外部衝撃Ｇが緩衝される。
従って、ガイド主軸４３及びガイド副軸４４の矢印ｈ方向の塑性変形を防止することができる。
【００８３】
故に、この実施例６によれば、実施例４と同様に、直径が約１．５ｍｍと非常に細いガイド主軸４３及びガイド副軸４４の矢印ｅ、ｆ方向である水平方向の外部衝撃Ｇによる矢印ｅ、ｆ方向の塑性変形と、矢印ｇ、ｈ方向である上下方向の外部衝撃Ｇによる矢印ｇ、ｈ方向の塑性変形との直交する２方向である広範囲の方向の塑性変形を未然に防止することができて、外部衝撃Ｇに対する安全性がより一層拡大される特徴がある。
しかも、この特徴を、１本の帯板形状部材６１と１個の角孔６６によって達成することが可能であるシンプルな構造を提供することができる。
【実施例７】
【００８４】
次に、図２５〜図２７によって、本発明の光ディスクドライブ装置１の実施例７を説明する。
図２５に示すように、この実施例７では、実施例６に示した挿通部としての角孔６６の内周面全体に角筒形の弾性部材６８を接着等にて固着して、１本の帯板形状部材６１の左右両側面６１ａ、６１ｂ及び上下両面６１ｃ、６１ｄと角筒形の弾性部材６８の内周面である左右両側面６８ａ、６８ｂ及び上下両面６８ｃ、６８ｄとの間に約０．３ｍｍのクリアランス６４ａ、６４ｂ、６４ｃ、６４ｄを形成したものである。
従って、この実施例７は光ピックアップユニットベース５０の厚みＴ１に余裕がある光ディスクドライブ装置１に適用するのに最適である。
【００８５】
そして、図２６及び図２７に示すように、この実施例７においては、実施例６と同様に、光ディスクドライブ装置１の落下等による水平方向である矢印ｅ、ｆ方向と垂直方向（上下方向）である矢印ｇ、ｈ方向の４方向の外部衝撃Ｇを１本の帯板形状部材６１と１個の角孔６６内の角筒形の弾性部材６８によって効果的に緩衝することができる。
【００８６】
つまり、矢印ｅ方向又は矢印ｆ方向の外部衝撃Ｇに対しては、角筒形の弾性部材６８の右側の側面６８ａが帯板形状部材６１の右側の側面６１ａに矢印ｅ方向から衝突されるか、又は角筒形の弾性部材６８の左側の側面６８ｂが帯板形状部材６１の左側の側面６１ｂに矢印ｆ方向から衝突されることによってそれぞれ緩衝されるので、ガイド主軸４３の矢印ｅ、ｆ方向の塑性変形を未然に防止することができる。
【００８７】
また、矢印ｇ方向又は矢印ｈ方向の外部衝撃Ｇに対しては、光ピックアップユニットベース５０がクリアランス６７ｃ、６７ｄ相当分、下方又は上方へ平行移動して、角筒形の弾性部材６８の上側面６８ｄが帯板形状部材６１の上向きの下面６１ｄに矢印ｇ方向から衝突されるか、又は弾性部材６８の下側面６８ｃが帯板形状部材６１の下向きの下面６１ｃに衝突されることによってそれぞれ緩衝される。
従って、実施例６と同様に、直径が約１．５ｍｍと非常に細いガイド主軸４３及びガイド副軸４４の矢印ｅ、ｆ方向と矢印ｇ、ｈ方向との塑性変形を未然に防止することができる。
【産業上の利用可能性】
【００８８】
以上、本発明の実施例に付き述べたが、本発明の技術的思想に基づいて各種の変更が可能である。
上記した実施例では、直径１２ｃｍの光学ディスク対応の光ディスクドライブ装置に付き述べたが、光磁気方式やその他の各種の記録及び／又は再生の方式によってディスク状記録媒体に各種の情報を記録及び／又は再生する各種のディスクドライブ装置に適用可能である。
また、直径１２ｃｍのディスク状記録媒体以外の各種の直径のディスク状記録媒体に対応する各種のディスクドライブ装置に適用可能である。
更に、本発明の衝撃吸収用部材の剛性部材は、実施例に示された帯板形状部材以外にも各種の形状の剛性部材を適用することができる。
また、本発明の衝撃吸収用部材の弾性部材は、実施例に示された角柱形状や帯状等の長物形状である必要はなく、例えば、弾性部材の小さな塊を光ピックアップユニットベースや光ディスクドライブユニットベースにガイド主軸の長さ方向と平行な方向に沿って所定間隔で固着させた構造等を採用することも可能である。
【図面の簡単な説明】
【００８９】
【図１】本発明を適用した光ディスクドライブ装置の実施例１を説明する全体の斜視    図である。
【図２】同上の光ディスクドライブ装置の光ディスクドライブユニット及び光ピック    アップユニットを示した斜視図である。
【図３】図２と同様の斜視図である。
【図４】同上の光ディスクドライブ装置の光ピックアップユニットベースを示した斜    視図である。
【図５】同上の光ピックアップユニットベースとガイド主軸及び衝撃吸収用部材の関    係を示した要部の一部切欠き斜視図である。
【図６】図５の衝撃吸収用部材によるガイド主軸の塑性変形防止の機能を説明する斜    視図である。
【図７】図５の断面図である。
【図８】図６の断面図である。
【図９】インシュレータの圧縮荷重と圧縮量との関係と、インシュレータの固体振動    数と圧縮量との関係をそれぞれ示したグラフである。
【図１０】衝撃吸収用軸を備えていない場合における外部衝撃によるガイド主軸の弛    みによる塑性変形を説明するグラフである。
【図１１】衝撃吸収用軸を備えることにより、外部衝撃によるガイド主軸の塑性変形    が防止されることを説明するグラフである。
【図１２】本発明を適用した光ディスクドライブ装置の実施例２を説明する要部の断    面図である。
【図１３】同上の実施例２における衝撃吸収用部材によるガイド主軸の塑性変形防止    機能を説明する要部の断面図である。
【図１４】本発明を適用した光ディスクドライブ装置の実施例３を説明する断面図で    ある。
【図１５】同上の実施例３における衝撃吸収用部材によるガイド主軸の塑性変形防止    機能を説明する要部の断面図である。
【図１６】本発明を適用した光ディスクドライブ装置の実施例４を説明する要部の断    面図である。
【図１７】同上の実施例４における衝撃吸収用部材によるガイド主軸の水平方向の塑    性変形防止機能を説明する要部の断面図である。
【図１８】同上の実施例４における衝撃吸収用部材によるガイド主軸の垂直方向の塑    性変形防止機能を説明する要部の断面図である。
【図１９】本発明を適用した光ディスクドライブ装置の実施例５を説明する要部の断    面図である。
【図２０】同上の実施例５における衝撃吸収用部材によるガイド主軸の水平方向の塑    性変形防止機能を説明する要部の断面図である。
【図２１】同上の実施例５における衝撃吸収用部材によるガイド主軸の垂直方向の塑    性変形防止機能を説明する要部の断面図である。
【図２２】本発明を適用した光ディスクドライブ装置の実施例６を説明する要部の断    面図である。
【図２３】同上の実施例６における衝撃吸収用部材によるガイド主軸の水平方向の塑    性変形防止機能を説明する要部の断面図である。
【図２４】同上の実施例６における衝撃吸収用部材によるガイド主軸の垂直方向の塑    性変形防止機能を説明する要部の断面図である。
【図２５】本発明を適用した光ディスクドライブ装置の実施例７を説明する要部の断    面図である。
【図２６】同上の実施例７における衝撃吸収用部材によるガイド主軸の水平方向の塑    性変形防止機能を説明する要部の断面図である。
【図２７】同上の実施例７における衝撃吸収用部材によるガイド主軸の垂直方向の塑    性変形防止機能を説明する要部の断面図である。
【符号の説明】
【００９０】
１    光ディスクドライブ装置、  ２    外装、  ３    ローディング・イジェクト用スライドベース、  ４    光ディスクドライブユニット、  ４０  光ディスクドライブユニットベース、  ４１  スピンドルモータ、  ４２  開口部、  ４３  ガイド主軸
４５  光ピックアップユニット送り機構、  ４５ｃ  リードスクリュー、
４５ｄ  リードスクリューのラセン溝、  ５    光ピックアップユニット、
５０  光ピックアップユニットベース、  ５１  光ピックアップ、  ５２  含油メタル軸受、  ６０  衝撃吸収用部材、  ６１  衝撃吸収用部材の剛性部材である帯板形状部材、  ６２  衝撃吸収用部材の弾性部材、  ６３  挿通部である凹溝、  ６５  衝撃吸収用部材の弾性部材、  ６８  挿通部である角孔、  ６９  衝撃吸収用部材の弾性部材
【図１】
2006228380.tif 000003
【図２】
2006228380.tif 000004
【図３】
2006228380.tif 000005
【図４】
2006228380.tif 000006
【図５】
2006228380.tif 000007
【図６】
2006228380.tif 000008
【図７】
2006228380.tif 000009
【図８】
2006228380.tif 000010
【図９】
2006228380.tif 000011
【図１０】
2006228380.tif 000012
【図１１】
2006228380.tif 000013
【図１２】
2006228380.tif 000014
【図１３】
2006228380.tif 000015
【図１４】
2006228380.tif 000016
【図１５】
2006228380.tif 000017
【図１６】
2006228380.tif 000018
【図１７】
2006228380.tif 000019
【図１８】
2006228380.tif 000020
【図１９】
2006228380.tif 000021
【図２０】
2006228380.tif 000022
【図２１】
2006228380.tif 000023
【図２２】
2006228380.tif 000024
【図２３】
2006228380.tif 000025
【図２４】
2006228380.tif 000026
【図２５】
2006228380.tif 000027
【図２６】
2006228380.tif 000028
【図２７】
2006228380.tif 000029